(57)【要約】【課題】  画質を劣化させることなく装置の大型化やコストアップを極力抑えて、光学ズーム付の電子カメラ付携帯型移動通信装置を提供すること。【解決手段】  撮影画角変更可能なレンズ群を介して被写体を撮影する画像撮影手段と、無線回線を通じて相手先通信装置との間で画像を含む通信を行う通信手段と、着信時にアクチュエータにより振動を発生する報知手段とを有する携帯型移動通信装置に於いて、画像撮影手段の画角変更が前記アクチュエータによって行う。【選択図】図１
2006173886.tif 000002
【特許請求の範囲】
【請求項１】
撮影画角変更可能なレンズ群を介して被写体を撮影する画像撮影手段と、無線回線を通じて相手先通信装置との間で画像を含む通信を行う通信手段と、着信時にアクチュエータにより振動を発生する報知手段とを有する携帯型移動通信装置に於いて、
前記画像撮影手段の画角変更が前記アクチュエータによって行われることを特徴とする携帯型移動通信装置。
【請求項２】
前記アクチュエータの駆動出力を画角変更時と着信報知時とで異ならせる駆動制御手段を有することを特徴とする請求項１に記載の携帯型移動通信装置。
【請求項３】
画像撮影手段と、画像表示手段と、被写体に向けて照明する発光手段と、無線回線を通じて相手先通信装置との間で画像を含む通信を行う通信手段と、着信時にアクチュエータによる振動により着信を知らせる報知手段とを有する携帯型移動通信装置に於いて、
前記画像撮影手段と前記発光手段と前記アクチュエータとを前記画像表示手段の背面側に配置したことを特徴とする携帯型移動通信装置。
【請求項４】
装置の略中央部から折り畳み可能に構成されていることを特徴とする請求項１，２，３に記載の携帯型移動通信装置。
【請求項５】
請求項４の携帯型移動通信装置において、前記画像撮影手段と、前記発光手段と、前記アクチュエータとを前記画像表示手段と同じ筐体側に配置したことを特徴とする携帯型移動通信装置。
【請求項６】
無線回線を通じて相手先通信装置との間で通信を行う通信手段と、着信時にアクチュエータにより振動を発生する報知手段とを有し、装置の略中央部から折り畳み可能に構成されている携帯型移動通信装置に於いて、折りたたみ状態と使用状態とで、前記アクチュエータの駆動力の伝達先を切り替える切り替え手段を有することを特徴とする携帯型移動通信装置。
【請求項７】
請求項６の携帯型移動通信装置において、アクチュエータの駆動力を折り畳み状態では着信時に振動を発生する報知手段として使用し、使用状態では撮影レンズの画角変更の駆動力として使用することを特徴とする携帯型移動通信装置。
【発明の詳細な説明】
【技術分野】
【０００１】
本発明は被写体像を撮影する電子カメラを備えた携帯型移動通信装置に関するものである。
【背景技術】
【０００２】
今日、携帯型電子機器、特に携帯電話、ＰＨＳ、携帯情報端末、携帯型コンピュータ（モバイルコンピュータ）などの携帯型移動通信装置には、電子カメラを内蔵して撮影した画像を他の通信機器に伝送する使用方法が普及してきている。また、電子ズームにより撮影画角を変更可能な携帯電話も販売されている。また、携帯電話やＰＨＳでは着信を知らせる手段の１つとして、振動によって着信を知らせるいわゆるマナーモードを有しているものが一般的になってきている。このマナーモードは、小型のモータの出力軸に半円形状もしくは半円筒状のロータが偏芯して取り付けられており、モータを回転させることによりロータも回転し振動するようになっている。
【０００３】
又、従来例としては、例えば特許文献１と特許文献２をあげることが出来る。
【特許文献１】特開2002-107612号公報
【特許文献２】国際公開ＷＯ02/067036号公報
【発明の開示】
【発明が解決しようとする課題】
【０００４】
従来の電子カメラ付携帯型移動通信装置の中には電子ズームで撮影画角を変更可能なものも有るが、近年ではより高画質のカメラ付携帯型移動通信装置が求められるようになっている。電子ズームはレンズなどの光学素子を移動させることなく電気的に画像を拡大処理するために、装置を大型化することなくズームが可能というメリットがある。しかしながら電子ズームではズームを高倍率にすればするほど画質が劣化してしまうというデメリットも有る。また、光学ズームを搭載するとズームさせるためのアクチュエータや駆動部材が必要となり、装置の大型化やコストの増大を招くといった問題があった。
【０００５】
本発明は画質を劣化させることなく装置の大型化やコストアップを極力抑えて、光学ズーム付の電子カメラ付携帯型移動通信装置を提供することを目的とする。
【課題を解決するための手段】
【０００６】
以上のような目的を達成するために請求項１の発明は、撮影画角変更可能なレンズ群を介して被写体を撮影する画像撮影手段と、無線回線を通じて相手先通信装置との間で画像を含む通信を行う通信手段と、着信時にアクチュエータにより振動を発生する報知手段とを有する携帯型移動通信装置に於いて、前記画像撮影手段の画角変更が前記アクチュエータによって行われることを特徴としている。
【０００７】
請求項２の発明は、前記アクチュエータの駆動出力を画角変更時と着信報知時とで異ならせる駆動制御手段を有することを特徴としている。
【０００８】
請求項３の発明は、画像撮影手段と、画像表示手段と、被写体に向けて照明する発光手段と、無線回線を通じて相手先通信装置との間で画像を含む通信を行う通信手段と、着信時にアクチュエータによる振動により着信を知らせる報知手段とを有する携帯型移動通信装置に於いて、前記画像撮影手段と前記発光手段と前記アクチュエータとを前記画像表示手段の背面側に配置したことを特徴としている。
【０００９】
請求項４の発明は、装置の略中央部から折り畳み可能に構成されていることを特徴としている。
【００１０】
請求項５の発明は、請求項４の携帯型移動通信装置において、前記画像撮影手段と、前記発光手段と、前記アクチュエータとを前記画像表示手段と同じ筐体側に配置したことを特徴としている。
【００１１】
請求項６の発明は、折りたたみ状態から使用状態にしたときに、前記アクチュエータの駆動力の伝達先を切り替える切り替え手段を有することを特徴としている。
【００１２】
請求項７の発明は、請求項６の携帯型移動通信装置において、アクチュエータの駆動力を折り畳み状態では着信時に振動を発生する報知手段として使用し、使用状態では撮影レンズの画角変更の駆動力として使用することを特徴としている。
【発明の効果】
【００１３】
以上述べてきたように、本出願に係る第一の発明によれば、撮影画角変更可能なレンズ群を介して被写体を撮影する画像撮影手段と、無線回線を通じて相手先通信装置との間で画像を含む通信を行う通信手段と、着信時にアクチュエータにより振動を発生する報知手段とを有する携帯型移動通信装置に於いて、前記画像撮影手段の画角変更が前記アクチュエータによって行われることにより、複数のアクチュエータを配置する必要がないので、コストの低減及び小型化に有効である。
【００１４】
本出願に係る第二の発明によれば、アクチュエータの駆動出力を画角変更時と着信報知時とで異ならせる駆動制御手段を有することによりズーム時に不快な振動を抑えることが可能である。
【００１５】
また、アクチュエータの回転方向により、ズームと装置に振動を与えることを容易に切り替えることが可能である。
【００１６】
本出願に係る第三の発明によれば、画像撮影手段と、画像表示手段と、被写体に向けて照明する発光手段と、無線回線を通じて相手先通信装置との間で画像を含む通信を行う通信手段と、着信時にアクチュエータによる振動により着信を知らせる報知手段とを有する携帯型移動通信装置に於いて、前記画像撮影手段と前記発光手段と前記アクチュエータとを前記画像表示手段の背面側に配置することにより駆動源と駆動力の伝達先を集中的に配置することが可能となり、動力の伝達ロスが少なく、コンパクトにレイアウトすることが可能となる。
【００１７】
本出願に係る第四の発明によれば、装置の略中央部から折り畳み可能に構成されていることにより装置の未使用時にコンパクトに収納可能となる。
【００１８】
本出願に係る第五の発明によれば、装置の略中央部から折り畳み可能な携帯型移動通信装置において、画像撮影手段と、発光手段と、アクチュエータとを前記画像表示手段と同じ筐体側に配置することにより駆動源と駆動力の伝達先を集中的に配置することが可能となり、動力の伝達ロスが少なく、コンパクトにレイアウトすることが可能となる。
【００１９】
本出願に係る第六、七の発明によれば、無線回線を通じて相手先通信装置との間で通信を行う通信手段と、着信時にアクチュエータにより振動を発生する報知手段とを有し、装置の略中央部から折り畳み可能に構成されている携帯型移動通信装置に於いて、折りたたみ状態と使用状態とで、アクチュエータの駆動力の伝達先を切り替える切り替え手段を有することにより、使い勝手がよく確実に動力の切り替えが可能となる。
【発明を実施するための最良の形態】
【００２０】
（第１の実施例）
図１は、本実施の形態の電子カメラ付携帯型移動通信装置の構成を示すブロック図である。図２は本実施の形態の電子カメラ付携帯型移動通信装置の外観図であり、図２ａは正面、図２ｂは背面から見た図であり、図２ｃは装置上側の断面の概略図である。本実施例では電子カメラ付携帯電話を例に説明する。図１、図２において、１は電子カメラ付携帯型移動通信装置の本体である。１０は撮影レンズであり、複数のレンズの相対移動により焦点距離が可変な構成となっている。本実施例ではレンズ２群３枚構成であり、１０ａが第一群、１０ｂが第二群となっている。１２は絞り機能を備えるシャッター或いは電子シャッターなどの露光手段である。１４は光学像を電気信号に変換するＣＣＤなどの撮像素子である。１６はＡ／Ｄ変換器であり、撮像素子１４のアナログ信号出力をディジタル信号に変換する。１８はタイミング発生回路であり、撮像素子１４、Ａ／Ｄ変換器１６、Ｄ／Ａ変換器２６にクロック信号や制御信号を供給するもので、メモリ制御回路２２及びシステム制御回路５０により制御される。
【００２１】
２０は画像処理回路であり、Ａ／Ｄ変換器１６からのデータ或いはメモリ制御回路２２からのデータに対して所定の画素補間処理や色変換処理を行う。画像処理回路２０においては、撮像した画像データを用いて所定の演算処理を行い、得られた演算結果に基づいてシステム制御回路５０が露光制御手段４０、測距制御手段４２に対して制御を行うＴＴＬ（スルー・ザ・レンズ）方式のＡＦ（オートフォーカス）処理、ＡＥ（自動露出）処理、ＥＦ（フラッシュプリ発光）処理を行っている。さらに、画像処理回路２０においては、撮像した画像データを用いて所定の演算処理を行い、得られた演算結果に基づいてＴＴＬ方式のＡＷＢ（オートホワイトバランス）処理も行っている。
【００２２】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６のデータは画像処理回路２０、メモリ制御回路２２を介して、或いは直接メモリ制御回路２２を介して、画像表示メモリ２４或いは画像記録メモリ３０に書き込まれる。
【００２３】
２４は画像表示メモリである。２６はＤ／Ａ変換器である。２８はＴＦＴ ＬＣＤ等からなる画像表示部であり、画像表示メモリ２４に書き込まれた表示用の画像データはＤ／Ａ変換器２６を介して画像表示部２８により表示される。画像表示部２８を用いて撮像した画像データを逐次表示すれば、動画表示を実現することが可能である。また画像表示部２８は、電話の着信時の着信表示やメールの表示、電池残量表示、ストロボ充電完了表示、装置のモード設定時の選択画面表示、時刻・日付表示などにも用いられる。画像表示部２８に用いられている表示素子２８ａはＴＦＴ方式などの液晶表示板である。液晶表示板２８ａは導電ゴム２８ｂを介して回路基板２９に電気的に接続されている。回路基板２９には、システム制御回路５０やＣＣＤ１４やスイッチ類など本装置のほとんどの電気素子が実装されている。
【００２４】
３０は画像記録メモリであり、撮影した静止画像や動画像を格納する。画像記録メモリ３０は、所定枚数の静止画像や所定時間の動画像を格納するのに十分な記憶量を備えている。これにより、複数枚の静止画像を連続して撮影する連射撮影や動画撮影など、高速かつ大量の画像書き込みを画像記録メモリ３０に対して行うことが可能となる。また、画像記録メモリ３０はシステム制御回路５０の作業領域としても使用することが可能である。
【００２５】
３２は圧縮・伸長回路であり、適応離散コサイン変換（ＡＤＣＴ）等により画像データを圧縮伸長する。圧縮・伸長回路３２では、画像記録メモリ３０に格納された画像を読み込んで圧縮処理或いは伸長処理を行い、処理を終えたデータを画像記録メモリ３０に書き込む。
【００２６】
４０は絞り機能を備えるシャッター或いは電子シャッターなどの露光手段１２を制御する露光制御手段であり、４２は撮影レンズ１０のフォーカシングを制御する測距制御手段である。４６は撮影レンズ１０のズーミングを制御するズーム制御手段である。露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。４８はストロボであり、被写体に向けて閃光発光を行い被写体を照明する。４８ａは閃光発光管であるＸｅ（キセノン）管であり、４８ｂはＸｅ管４８ａの光を被写体方向に反射する反射笠である。
【００２７】
５０はシステム制御回路であり、本発明の携帯型移動通信装置全体を制御する中央演算ユニット（ＣＰＵ）である。５２はメモリであり、システム制御回路５０の動作用の定数、変数、プログラム等を記憶する。５６は電気的に消去・記録可能な不揮発性メモリであり、例えばＥＥＰＲＯＭ等が用いられ電話番号や着信メロディ、メール等を記憶する。
【００２８】
６０、６２、６４、は、システム制御回路５０の各種の動作指示を入力するための操作手段であり、スイッチやダイアル、タッチパネル等の単数或いは複数の組み合わせで構成される。具体的には６０は十字キースイッチになっており、メニューの選択や画像撮影モード時にはズームスイッチになり、撮影レンズの焦点距離の変更を指示する。６２はレリーズスイッチであり、スイッチONでＡＦ（オートフォーカス）処理、ＡＥ（自動露出）処理、ＡＷＢ（オートホワイトバランス）処理等の動作開始を指示し、引き続き撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、画像記録メモリ３０から画像データを読み出し、圧縮・伸長回路３２で圧縮を行い、記録媒体２００に画像データを書き込む記録処理という一連の処理の動作開始を指示する。
【００２９】
７０は電源制御回路であり、電池検出回路、DC-DCコンバータ、通電するブロックを切り替えるスイッチ回路等により構成されており、電池の装着の有無、電池の種類、電池残量の検出を行い、検出結果及びシステム制御回路５０の指示に基づいてDC-DCコンバータを制御し、必要な電圧を必要な期間、記録媒体を含む各部へ供給する。７２、７４はコネクタである。７６は電源であり、アルカリ電池やリチウム電池等の一次電池やNiCd電池やNiMH電池、リチウムイオン電池等の二次電池、ＡＣアダプター等からなる。７８は電源収納部をカバーする電池カバーである。
【００３０】
８０はメモリカードやハードディスク等の記録媒体とのインタフェースである。８２はメモリカードやハードディスク等の記録媒体と接続を行うコネクタである。さらに、インタフェース９０、そしてコネクタ９２を規格に準拠したメモリカードを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード等の各種通信カードを接続することにより、他のコンピュータやプリンタ等の周辺機器との間で画像データや画像データに付属した管理情報を転送し合うことができる。８４はメモリカード収納部をカバーするメモリカバーである。
【００３１】
１００はメモリカードやハードディスク等の記録媒体であり、半導体メモリや磁気ディスク等から構成される記録部１０２、装置本体側とのインタフェース１０４、装置本体側コネクタ８０と接続を行うコネクタ１０６とを備えており、装置本体に着脱可能に設けられている。この記録媒体１００と画像記録メモリ３０は、互いに記録されている画像ファイルの移動やコピーが可能である。
【００３２】
無線処理部は、アンテナ１１２が接続されており、アンテナ１１２によって送受信される携帯電話通信網からの電波を変調、あるいは送信電波へと復調し、その周波数やスロットの指定、出力の制御等を行う。
【００３３】
音声処理部１２０は、スピーカ１２２およびマイク１２４と接続されており、マイク１２４から入力される音声信号を変調、あるいは音声信号に復調しスピーカ１２２へ出力したり、電話着信等の呼出音の制御等を行う。
【００３４】
アンテナ１１２から着信信号が無線処理部１２０を介してシステム制御回路５０に伝達されると、システム制御回路５０は装置の現状の着信設定がマナーモードか否かを判断して制御信号を着信制御手段１３０に送る。着信制御手段１３０はシステム制御回路５０から送られてきた信号をうけて着信音表示するか振動表示するかを決定し、駆動信号を音声処理部１２０又はモータ１４０におくる。
【００３５】
モータ１４０はマナーモード時に回転して振動を発生するバイブレータ機能と、撮影レンズ１０を光軸方向に移動させてズームやフォーカスを行うアクチュエータである。
【００３６】
図３は本実施の形態の電子カメラ付携帯型移動通信装置のモータからの動力伝達を説明する構成の概略図である。図４は本実施の形態の電子カメラ付携帯型移動通信装置の動作を説明するフローチャートである。
【００３７】
図３よりモータ１４０は両軸タイプのモータであり、１６０はモータ１４０の回転軸に取り付けられた偏芯重りでありモータ１４０が高速回転することにより振動を発生し、バイブレータとして機能する。１５１はウォームギアで１５２は２段ギアとなっており、１５２ａがハスバギアでウォームギア１５１と噛み合っている。１５２ｂは平歯車でギア１５３に噛み合っている。ギア１５３はレンズ鏡筒１５９に噛み合っており、レンズ鏡筒１５９が回転する。レンズ鏡筒１５９の内壁にはカム溝（不図示）が形成されており、そのカム溝にレンズ１０ａ及びレンズ１０ｂが勘合しており、レンズ鏡筒１５９の回転によってレンズ１０ａ及び１０ｂが光軸方向に移動してズームを行う。
【００３８】
図４より、ステップｓ３０１にて画像撮影モードが選択されて、画像撮影モード中に着信信号を受けた場合（ステップｓ３０２）は着信信号を受信した旨の着信音表示とモニタ２８に着信表示を行う。ステップｓ３０２で着信信号を受けない場合はそのまま待機する。ステップｓ３０２で受信した場合は、受信信処理を行い（ステップｓ３０４）、ステップｓ３０４で受信処理が行われない場合は受信処理が行われるか着信信号が来なくなるまで待機する。ステップｓ３０５でズームスイッチ６０が押された場合は、ステップｓ３０６でモータ１４０をマナーモード動作時より低速回転で駆動してズームを行う。図３で示された駆動系ではモータ１４０の回転により、偏芯重り１６０も回転し振動が発生するので、ズーム時はあまり高速で回転させないほうが撮影者に不快な振動を与えないためには良い。
【００３９】
ズーム動作が終わるとステップｓ３０７にてレリーズスイッチ６２がＯＮされるまで待機する。ステップｓ３０７でレリーズスイッチ６２がＯＮされたらステップｓ３０８にて前述した一連の画像記録処理が行われてシーケンスを終了する。
【００４０】
ステップ３０１にて画像撮影モードが選択されていない場合は、ステップｓ３１１でマナーモードであるかどうかを判断する。マナーモードの場合でステップｓ３１２で着信信号を受けた場合はステップｓ３１３でモータ１４０を高速で回転させ装置に振動を発生させる。その後ステップｓ３１４で受信処理が行われるか着信信号が来なくなるまでモータ１４０を回転させる。ステップｓ３１２で着信信号を受けない場合は着信待ち受け状態となる。
【００４１】
ステップｓ３１１でマナーモードであるかどうかを判断して、マナーモードでない場合はステップｓ３２１で着信信号を受信した場合は、着信信号を受信した旨の着信音表示とモニタ２８に着信表示を行う。ステップｓ３２１で着信信号を受けない場合は着信待ち受け状態となる。
【００４２】
図４のフローにはないが画像撮影モードが選択されていてマナーモードも選択されている場合は、モニタ２８上に着信表示を行い受信処理が行われるか着信信号が来なくなるまで待機する。
【００４３】
（第２の実施例）
図５は図３とは別の形態の電子カメラ付携帯型移動通信装置のモータからの動力伝達を説明する構成の概略図である。
【００４４】
図５より１５１はウォームギアで１５２は２段ギアとなっており、１５２ａがハスバギアでウォームギア１５１と噛み合っている。１５２ｂは平歯車で太陽ギア１５４に噛み合っている。１５６は太陽ギア１５４と遊星ギア１５５を連結している遊星アームである。遊星ギア１５５は不図示のバネなどによりフリクションを与えられており、ギア１５４の周りを公転しモータ１４０の回転方向により、ギア１５７もしくはギア１６１に噛み合う。本実施例では第一の回転方向でギア１６１に噛み合い、第二の回転方向でギア１５７に噛み合う。ギア１６１には偏芯重り１６２が同軸上に取り付けられておりギア１６１の回転により振動を発生する。ギア１５７、ギア１５８はアイドラギアでレンズ鏡筒１５９に動力を伝達する。レンズ鏡筒１５９は第一の実施例と同様に内壁にカム溝（不図示）が形成されており、回転によってレンズが光軸方向に移動してズームを行う。従って本実施例でのズーム動作は、モータ１４０の１方向の回転で行うためズームスイッチを押しっぱなしにするとｗｉｄｅ→ｔｅｌｅ→ｗｉｄｅの動作を繰り返すこととなる。
【００４５】
図６は図５に示す構成の本実施の形態の電子カメラ付携帯型移動通信装置の動作を説明するフローチャートである。図６のフローは図４のフローと大部分同様の動作であるので図４のフローと異なる動作のみ説明する。ステップｓ２１５にてズームスイッチ６０がＯＮされたなら、モータ１４０を第二の回転方向に駆動してズーム動作を行う。ズーム動作が終わるとステップｓ２１７にてレリーズスイッチ６２がＯＮされるまで待機する。ステップｓ２１７でレリーズスイッチ６２がＯＮされたらステップｓ２１８にて前述した一連の画像記録処理が行われてシーケンスを終了する。
【００４６】
ステップ２１１にて画像撮影モードが選択されていない場合は、ステップｓ２２１でマナーモードであるかどうかを判断する。マナーモードの場合でステップｓ２２２で着信信号を受けた場合はステップｓ２２２でモータ１４０を第一の回転方向で駆動させ装置に振動を発生させる。その後ステップｓ２２４で受信処理が行われるか着信信号が来なくなるまでモータ１４０を回転させる。ステップｓ２２４で着信信号を受けない場合は着信待ち受け状態となる。
【００４７】
図６のフローにはないが画像撮影モードが選択されていてマナーモードも選択されている場合は、モニタ２８上に着信表示を行い受信処理が行われるか着信信号が来なくなるまで待機する。
【００４８】
（第３の実施例）
図７は装置の略中央部から折り畳み可能な携帯型移動通信装置の外観斜視図である。ヒンジ３を中心として未使用時は折りたたんでコンパクトに収納可能である。撮影レンズ１０及びストロボ４８、モータ１４０は不図示のモニタを含む本体１ｂ側に配置されており、もう一方の本体１ａには操作スイッチの大部分や電池などが配置されている。
【００４９】
図８は本実施の形態の電子カメラ付携帯型移動通信装置のモータからの動力伝達を説明する構成の概略図である。図９は装置の使用時と折り畳み時での動力切り替えを説明する図である。図８は前述の図５の構成に一部構成を追加したものであるため、前述の説明と重複する部分は説明を省略する。
【００５０】
図５の構成ではモータ１４０の回転方向を変える事により動力伝達先を切り替えていたが、本実施例の構成では装置の開閉に連動してモータ１４０の動力伝達先を切り替えるようにしている。
【００５１】
図９ａは装置を開いた状態即ち使用状態、図９ｂは装置を折り畳んだ状態即ち未使用状態のレバー１６３の動きを表した図である。
【００５２】
ヒンジ３の回動部３ａにワイヤー１６５が固定されており、ワイヤー１６５のもう一端はレバー１６３に固定されている。レバー１６３には引張りバネ１６４が掛けられておりバネ１６４のもう一端は本体に形成されたバネ掛け１ｄに掛けられており、レバー１６３は常にバネ１６４によってギア１５５側に付勢されている。ヒンジ回動部３ａが回動することによりワイヤー１６５が巻き取られたり、緩められたりしてレバー１６３がスライドする。このときレバー１６３が確実にスライドしたかどうかをセンサなどでレバー１６３の位置を検出した方が望ましい。またこの検出信号を装置の開閉状態の検出にも兼用できる。
【００５３】
装置が開いた状態のときはレバー１６３の先端部１６３ａが遊星アームの先端部１５６ａを押して遊星ギア１５５がギア１５７に噛み合いズーム動作が可能となる。レバー１６３はバネ１６４によって常にギア１５７の方に付勢されている為、モータ１４０がどちらの方向に回転しても連結が外れることはない。
【００５４】
図１０は図８、図９に示す構成の本実施の形態の電子カメラ付携帯型移動通信装置の動作を説明するフローチャートである。
【００５５】
ステップｓ４０１にて折り畳み状態か否かを判定する。ステップｓ４０１にて折り畳み状態の場合はステップｓ４０２にて着信信号を受信するまで待機する。ステップｓ４０２にて着信信号を受信してステップｓ４０３でマナーモードが選択されている場合は、モータ１４０を駆動して（ステップｓ４０４）装置を振動させ、ステップｓ４０５で受信処理が行われるか着信信号が来なくなるまでモータ１４０を回転させる。
【００５６】
ステップｓ４０３にてマナーモードが選択されていない場合は、ステップｓ４１１にて着信音表示を行い、ステップｓ４１２で受信処理が行われるか着信信号が来なくなるまで着信音を鳴らす。
【００５７】
ステップｓ４０１にて装置が開いた状態だと判断され、ステップｓ４２１にてマナーモードが選択されていない場合でステップｓ４２２にて着信信号を受信すると、ステップｓ４２３にて着信音表示及びモニタ画面に着信表示する。その後ステップｓ４２４で受信処理が行われるか着信信号が来なくなるまで表示を続ける。ステップｓ４２１にてマナーモードが選択されている場合にステップｓ４３１にて着信信号を受信した場合は、ステップｓ４３２にてモニタ上に着信表示を行いステップｓ４２４にて受信処理が行われるか着信信号が来なくなるまで表示を続ける。ステップｓ４２１及びステップｓ４３１にて着信信号を受信していない場合は、着信信号若しくはズームスイッチなどの動作信号が来るまで待機する。
【００５８】
ステップｓ４２５でズームスイッチ６０がＯＮされるとモータ１４０を駆動してズームを行う（ステップｓ４２６）。ズーム動作が終わるとステップｓ４２７にてレリーズスイッチ６２がＯＮされるまで待機する。ステップｓ４２７でレリーズスイッチ６２がＯＮされたらステップｓ４２８にて前述した一連の画像記録処理が行われてシーケンスを終了する。
【００５９】
本実施例では装置の開閉でアクチュエータの動力をマナーモード時の振動用とズーム駆動用に切り替えているがこれに限定されるものではなく、装置の開閉により例えば開状態ではアクチュエータによってアンテナを進退させたり、レンズのバリアを開閉したりしても良い。
【図面の簡単な説明】
【００６０】
【図１】カメラ付携帯型移動通信装置の構成を示すブロック図
【図２】ａはカメラ付携帯型移動通信装置の正面外観図、ｂはカメラ付携帯型移動通信装置の背面外観図、ｃはカメラ付携帯型移動通信装置の部分断面図
【図３】実施例１の動力伝達を説明する構成の概略図
【図４】実施例１の動作を説明するフローチャート
【図５】実施例２の動力伝達を説明する構成の概略図
【図６】実施例２の動作を説明するフローチャート
【図７】折り畳み可能なカメラ付携帯型移動通信装置の外観斜視図
【図８】実施例３の動力伝達を説明する構成の概略図
【図９】ａは実施例３の装置の開状態を説明する図、ｂは実施例３の装置の折り畳み状態を説明する図
【図１０】実施例３の動作を説明するフローチャート
【符号の説明】
【００６１】
１  電子カメラ付携帯型移動通信装置本体
１０  撮影レンズ
２８  画像表示部
４８  ストロボ
１４０  モータ
１５９  レンズ鏡筒
１６０、１６２  偏芯重り
【図１】
2006173886.tif 000003
【図２】
2006173886.tif 000004
【図３】
2006173886.tif 000005
【図４】
2006173886.tif 000006
【図５】
2006173886.tif 000007
【図６】
2006173886.tif 000008
【図７】
2006173886.tif 000009
【図８】
2006173886.tif 000010
【図９】
2006173886.tif 000011
【図１０】
2006173886.tif 000012